【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
アプリケーションを利用して動作を実行する電子装置であって、
外部装置と通信回線を介して通信する通信手段と、
該手段によって前記外部装置と通信することにより、該外部装置内のアプリケーションを利用して動作を実行する制御手段と
を設けたことを特徴とする電子装置。
【請求項２】
請求項１記載の電子装置において、
当該電子装置の起動通知を前記通信手段によって前記外部装置へ送信する装置起動通知送信手段と、
該手段による送信に対して、前記外部装置から前記通信手段によって前記アプリケーション利用可能通知を受けた場合に、該通知に付加されている利用可能なアプリケーションに関する情報を登録するアプリケーション情報登録手段と
を設けたことを特徴とする電子装置。
【請求項３】
請求項１記載の電子装置において、
前記制御手段は、前記外部装置から前記通信手段によって該外部装置内のアプリケーションによる動作の実行要求を受けた場合に、該動作を実行することを特徴とする電子装置。
【請求項４】
請求項３記載の電子装置において、
前記外部装置から前記通信手段によって前記動作の実行要求を受けた場合に、該要求の正当性を確認するための認証処理を行う認証手段と、
該手段による認証が成功した場合に、前記動作の実行を許可する動作実行許可手段と
を設けたことを特徴とする電子装置。
【請求項５】
請求項３記載の電子装置において、
当該電子装置へのアクセスを許可又は拒否するアプリケーション固有の識別情報を設定する識別情報設定手段と、
前記外部装置から前記通信手段によって前記動作の実行要求を受けた場合に、該実行要求に付加されているアプリケーション固有の識別情報を前記識別情報設定手段によって設定された識別情報と照合し、両識別情報が一致した場合に前記動作の実行を許可又は拒否する動作実行許可／拒否手段と
を設けたことを特徴とする電子装置。
【請求項６】
請求項３記載の電子装置において、
前記外部装置から前記通信手段によって前記動作の実行要求を受けた場合に、該実行要求を通した通信回線の種類を判別する回線種判別手段と、
該手段による判別結果に応じて前記動作の実行を許可又は拒否する動作実行許可／拒否手段と
を設けたことを特徴とする電子装置。
【請求項７】
請求項３記載の電子装置において、
前記外部装置から前記通信手段によって何らかの動作の実行要求を受けた場合に、該実行要求が正常な要求であるか否かを判別する実行要求判別手段と、
該手段によって正常な要求でないと判別された回数を計数する異常回数計数手段と、
該手段による計数値が所定値に達した場合に、前記動作の実行を拒否する動作実行拒否手段と
を設けたことを特徴とする電子装置。
【請求項８】
請求項１記載の電子装置において、
前記外部装置から前記通信手段によって接続要求を受けた場合に、当該電子装置の利用可能（接続許可）通知を該外部装置へ送信する装置利用可能通知送信手段を設け、
前記制御手段は、前記装置利用可能通知送信手段による送信に対して、前記外部装置から前記通信手段によって該外部装置内のアプリケーションによる動作の実行要求を受けた場合に、該動作を実行することを特徴とする電子装置。
【請求項９】
請求項８記載の電子装置において、
前記外部装置から前記通信手段によって接続要求を受けた場合に、該要求に付加されている利用可能なアプリケーションに関する情報を登録するアプリケーション情報登録手段を設けたことを特徴とする電子装置。
【請求項１０】
請求項８記載の電子装置において、
前記外部装置から前記通信手段によって接続要求を受けた場合に、該接続要求の正当性を確認するための認証処理を行う認証手段と、
該手段による認証が成功した場合に、前記装置利用可能通知送信手段による送信を許可する送信許可手段と
を設けたことを特徴とする電子装置。
【請求項１１】
請求項８記載の電子装置において、
前記通信手段は、前記外部装置から接続要求を受けた場合に、前記外部装置との間で予め定められたプロトコルに従って該接続要求の正当性を確認するための通信シーケンスを行う手段を有し、
該手段によって行われた通信シーケンスから前記接続要求の正当性を確認するための認証処理を行う認証手段と、
該手段による認証が成功した場合に、前記装置利用可能通知送信手段による送信を許可する送信許可手段と
を設けたことを特徴とする電子装置。
【請求項１２】
請求項８記載の電子装置において、
前記外部装置から前記通信手段によって接続要求を受けた場合に、該接続要求の正当性を確認するための第１の認証処理を行う第１の認証手段と、
該手段による認証が成功した場合に、前記装置利用可能通知送信手段による送信を許可する送信許可手段と、
前記装置利用可能通知送信手段による送信に対して、前記外部装置から前記通信手段によって前記動作の実行要求を受けた場合に、該実行要求の正当性を確認するための第２の認証処理を行う第２の認証手段と、
該手段による認証が成功した場合に、前記動作の実行を許可する動作実行許可手段と
を設けたことを特徴とする電子装置。
【請求項１３】
請求項２記載の電子装置と外部装置とを通信回線を介して通信可能に接続する電子装置システムにおいて、
前記外部装置に、
アプリケーション記憶手段と、
前記電子装置と通信回線を介して通信する通信手段と、
前記電子装置から前記通信手段によって該電子装置の起動通知を受けた場合に、アプリケーション利用可能通知を前記アプリケーション記憶手段に記憶されている利用可能なアプリケーションに関する情報を付加して前記通信手段によって前記電子装置へ送信するアプリケーション利用可能通知送信手段と
を設けたことを特徴とする電子装置システム。
【請求項１４】
アプリケーションを利用して動作を実行する電子装置における制御方法であって、
外部装置と通信回線を介して通信することにより、該外部装置内のアプリケーションを利用して動作を実行することを特徴とする制御方法。
【請求項１５】
アプリケーションを利用して動作を実行する電子装置のコンピュータに、
外部装置と通信回線を介して通信する通信機能と、
該機能によって前記外部装置と通信することにより、該外部装置内のアプリケーションを利用して動作を実行する制御機能と
を実現させるためのプログラム。
【請求項１６】
請求項１５記載のプログラムを記録したコンピュータ読み取り可能な記録媒体。
【手続補正２】
【補正対象書類名】明細書
【補正対象項目名】０００８
【補正方法】変更
【補正の内容】
【０００８】
請求項２の発明による電子装置は、請求項１の電子装置において、当該電子装置の起動通知を上記通信手段によって上記外部装置へ送信する装置起動通知送信手段と、該手段による送信に対して、上記外部装置から上記通信手段によって上記アプリケーション利用可能通知を受けた場合に、該通知に付加されている利用可能なアプリケーションに関する情報を登録するアプリケーション情報登録手段とを設けたものである。
【手続補正３】
【補正対象書類名】明細書
【補正対象項目名】０００９
【補正方法】変更
【補正の内容】
【０００９】
請求項３の発明による電子装置は、請求項１の電子装置において、上記制御手段が、上記外部装置から上記通信手段によって該外部装置内のアプリケーションによる動作の実行要求を受けた場合に、該動作を実行するものである。
請求項４の発明による電子装置は、請求項３の電子装置において、上記外部装置から上記通信手段によって上記動作の実行要求を受けた場合に、該要求の正当性を確認するための認証処理を行う認証手段と、該手段による認証が成功した場合に、上記動作の実行を許可する動作実行許可手段とを設けたものである。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
請求項５の発明による電子装置は、請求項３の電子装置において、当該電子装置へのアクセスを許可又は拒否するアプリケーション固有の識別情報を設定する識別情報設定手段と、上記外部装置から上記通信手段によって上記動作の実行要求を受けた場合に、該実行要求に付加されているアプリケーション固有の識別情報を上記識別情報設定手段によって設定された識別情報と照合し、両識別情報が一致した場合に上記動作の実行を許可又は拒否する動作実行許可／拒否手段とを設けたものである。
【手続補正７】
【補正対象書類名】明細書
【補正対象項目名】００１３
【補正方法】変更
【補正の内容】
【００１３】
請求項６の発明による電子装置は、請求項３の電子装置において、上記外部装置から上記通信手段によって上記動作の実行要求を受けた場合に、該実行要求を通した通信回線の種類を判別する回線種判別手段と、該手段による判別結果に応じて上記動作の実行を許可又は拒否する動作実行許可／拒否手段とを設けたものである。
請求項７の発明による電子装置は、請求項３の電子装置において、上記外部装置から上記通信手段によって何らかの動作の実行要求を受けた場合に、該実行要求が正常な要求であるか否かを判別する実行要求判別手段と、該手段によって正常な要求でないと判別された回数を計数する異常回数計数手段と、該手段による計数値が所定値に達した場合に、上記動作の実行を拒否する動作実行拒否手段とを設けたものである。
【手続補正８】
【補正対象書類名】明細書
【補正対象項目名】００１４
【補正方法】変更
【補正の内容】
【００１４】
請求項８の発明による電子装置は、請求項１の電子装置において、上記外部装置から上記通信手段によって接続要求を受けた場合に、当該電子装置の利用可能（接続許可）通知を該外部装置へ送信する装置利用可能通知送信手段を設け、上記制御手段が、上記装置利用可能通知送信手段による送信に対して、上記外部装置から上記通信手段によって該外部装置内のアプリケーションによる動作の実行要求を受けた場合に、該動作を実行するものである。
請求項９の発明による電子装置は、請求項８の電子装置において、上記外部装置から上記通信手段によって接続要求を受けた場合に、該要求に付加されている利用可能なアプリケーションに関する情報を登録するアプリケーション情報登録手段を設けたものである。
【手続補正９】
【補正対象書類名】明細書
【補正対象項目名】００１５
【補正方法】変更
【補正の内容】
【００１５】
請求項１０の発明による電子装置は、請求項８の電子装置において、上記外部装置から上記通信手段によって接続要求を受けた場合に、該接続要求の正当性を確認するための認証処理を行う認証手段と、該手段による認証が成功した場合に、上記装置利用可能通知送信手段による送信を許可する送信許可手段とを設けたものである。
【手続補正１０】
【補正対象書類名】明細書
【補正対象項目名】００１６
【補正方法】変更
【補正の内容】
【００１６】
請求項１１の発明による電子装置は、請求項８の電子装置において、上記通信手段が、上記外部装置から接続要求を受けた場合に、上記外部装置との間で予め定められたプロトコルに従って該接続要求の正当性を確認するための通信シーケンスを行う手段を備え、該手段によって行われた通信シーケンスから上記接続要求の正当性を確認するための認証処理を行う認証手段と、該手段による認証が成功した場合に、上記装置利用可能通知送信手段による送信を許可する送信許可手段とを設けたものである。
【手続補正１１】
【補正対象書類名】明細書
【補正対象項目名】００１７
【補正方法】変更
【補正の内容】
【００１７】
請求項１２の発明による電子装置は、請求項８の電子装置において、上記外部装置から上記通信手段によって接続要求を受けた場合に、該接続要求の正当性を確認するための第１の認証処理を行う第１の認証手段と、該手段による認証が成功した場合に、上記装置利用可能通知送信手段による送信を許可する送信許可手段と、上記装置利用可能通知送信手段による送信に対して、上記外部装置から上記通信手段によって上記動作の実行要求を受けた場合に、該実行要求の正当性を確認するための第２の認証処理を行う第２の認証手段と、該手段による認証が成功した場合に、上記動作の実行を許可する動作実行許可手段とを設けたものである。
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】変更
【補正の内容】
【００１９】
請求項１３の発明による電子装置システムは、請求項２の電子装置と外部装置とを通信回線を介して通信可能に接続する電子装置システムにおいて、上記外部装置に、アプリケーション記憶手段と、上記電子装置と通信回線を介して通信する通信手段と、上記電子装置から上記通信手段によって該電子装置の起動通知を受けた場合に、アプリケーション利用可能通知を上記アプリケーション記憶手段に記憶されている利用可能なアプリケーションに関する情報を付加して上記通信手段によって上記電子装置へ送信するアプリケーション利用可能通知送信手段とを設けたものである。
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】変更
【補正の内容】
【００２４】
請求項１４の発明による電子装置の制御方法は、アプリケーションを利用して動作を実行する電子装置における制御方法であって、外部装置と通信回線を介して通信することにより、該外部装置内のアプリケーションを利用して動作を実行するものである。
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】変更
【補正の内容】
【００３２】
請求項１５の発明によるプログラムは、アプリケーションを利用して動作を実行する電子装置のコンピュータに、外部装置と通信回線を介して通信する通信機能と、該機能によって上記外部装置と通信することにより、該外部装置内のアプリケーションを利用して動作を実行する制御機能とを実現させるためのものである。
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】変更
【補正の内容】
【００４２】
請求項１６の発明による記録媒体は、請求項１５のプログラムを記録したコンピュータ読み取り可能な記録媒体である。